(57)【特許請求の範囲】
【請求項１】
車室内に設けたグラブドアを備えたグラブボックス内に、情報処理機器を収納した車両の情報処理機器収納装置において、
上記グラブボックス内に移動可能に収納され一対のレールを両下側部に取り付けたグラブボックスインナーと、
グラブボックス両側壁面にグラブドアの開閉に連動して車両の前後方向に回動する状態に支持され回動力を上記グラブボックスインナーに伝達する一対の第１リンクアームと、
一対のスライドガイドを両側部に取り付け、この一対のスライドガイドを上記グラブボックスインナーに取り付けた一対のレールに各々スライド可能に嵌合させるとともに、情報処理機器を載置したベース部と、
上記グラブボックス内に収納したグラブボックスインナーの開口側の両壁面部により回動可能に支持され、上記一対の第１リンクアームの車両の前後方向への回動力を受けて回動し、上記ベース部にその回動力を伝達して、このベース部の上記一対のスライドガイドを上記一対のレールに沿ってスライドさせ、上記情報処理機器を収納位置と操作可能位置とに渡って変位させる一対の第２リンクアームと、
を有することを特徴とする車両の情報処理機器収納装置。
【請求項２】
前記情報処理機器は、ファクシミリ装置、パーソナルコンピュータ装置、携帯情報端末等の中から選定されたものであることを特徴とする、請求項１記載の車両の情報処理機器収納装置。
【発明の詳細な説明】
【０００１】
【発明の属する技術分野】
この発明は車両の情報処理機器収納装置に関し、より詳しくは、例えば車内においてファクシミリ装置等の情報処理機器を操作性良く収納する車両の情報処理機器収納装置に関するものである。
【０００２】
【従来の技術】
従来、車両の車室内におけるグラブボックスにこの種の情報処理機器収納装置として図６乃至図９に示すものが知られている。
【０００３】
この従来の情報処理機器収納装置は、車両の車室内の助手席側において、軸部１１０を支軸として開閉可能なグラブドアアウタ１０１を備えたグラブボックス１００内に、情報処理機器の一種である図７に示すようなファクシミリ装置１５０を搭載して構成している。
【０００４】
ファクシミリ装置１５０は、図７に示すように、板状のべース部１１１上にボルト１２１を用いてファクシミリ本体１５１を固定配置するとともに、このべース部１１１及びファクシミリ本体１５１をグラブドアアウタ１０１、グラブドアインナ１０２により区画されるグラブボックス１００内に、上記グラブドアアウタ１０１側にべース部１１１が固定される状態で収容し、図８に示すグラブドアアウタ１０１の閉状態ではファクシミリ装置１５０の上部がフロント側（エンジンルーム側）に傾倒する状態とし、図９に示すグラブドアアウタ１０１の開状態ではファクシミリ装置１５０の上部がリア側（助手席側）に回動する状態となるようにしている。
【０００５】
前記ファクシミリ装置１５０のファクシミリ本体１５１の助手席側の面には、図７に示すように、発信部１５３、受信部１５４が設けられ、フロント側の面には情報記録用のロール紙１５５が配置され、さらに、ファクシミリ本体１５１の上部には情報処理のための各種操作を行うキー、ランプ等を列設した操作部１５６が設けられている。
【０００６】
【発明が解決しようとする課題】
しかしながら、上述した従来の情報処理機器収納装置の場合、単にグラブボックス１００内に、上記グラブドアアウタ１０１側にべース部１１１が固定される状態でファクシミリ装置１５０を収容しただけの構成であり、このため、図９に示すグラブドアアウタ１０１の開状態の場合においても、ファクシミリ装置１５０の操作部１５６上の操作スペースＳ（図９に斜線を付して示す）は、グラブボックス１００の上部に配置される音響機器（例えばＣＤチェンジャー）１３０等の底部１３０ａに邪魔されて十分に確保できず、この結果、ファクシミリ装置１５０の操作部１５６に対する操作者の操作性は必ずしも良好であるとは言えないものであった。
【０００７】
この発明は、上記事情に鑑みてなされたものであり、グラブドアの開操作と連動してグラブボックス内の情報処理機器をその操作性が良好な位置まで移動し得る車両の情報処理機器収納装置を提供するものである。
【０００８】
【課題を解決するための手段】
請求項１記載の発明は、車室内に設けたグラブドアを備えたグラブボックス内に、情報処理機器を収納した車両の情報処理機器収納装置において、グラブボックス内に移動可能に収納され一対のレールを両下側部に取り付けたグラブボックスインナーと、グラブボックス両側壁面にグラブドアの開閉に連動して車両の前後方向に回動する状態に支持され回動力をグラブボックスインナーに伝達する一対の第１リンクアームと、一対のスライドガイドを両側部に取り付け、この一対のスライドガイドをグラブボックスインナーに取り付けた一対のレールに各々スライド可能に嵌合させるとともに、情報処理機器を載置したベース部と、グラブボックス内に収納したグラブボックスインナーの開口側の両壁面部により回動可能に支持され、一対の第１リンクアームの車両の前後方向への回動力を受けて回動し、ベース部にその回動力を伝達して、このベース部の一対のスライドガイドを一対のレールに沿ってスライドさせ、情報処理機器を収納位置と操作可能位置とに渡って変位させる一対の第２リンクアームとを有することを特徴とするものである。
【０００９】
本発明の車両の情報処理機器収納装置において、グラブドアを閉状態から開状態にすると、このグラブドアの開動作に連動して一対の第１リンクアームが回動し、一対の第１リンクアームの回動力が一対の第２リンクアームに伝達される。
【００１０】
一対の第２リンクアームは、一対の第１リンクアームからの回動力を受けて情報処理機器を載置したベース部にその回動力を伝達し、このベース部に取り付けた一対のスライドガイドを、グラブボックスインナーに取り付けた一対のレールに沿って車両リア側にスライドさせ、情報処理機器を収納位置から操作可能位置へと変位させる。
【００１１】
これにより、前記情報処理機器は、グラブボックス内の収納位置から、グラブドアが開状態となり上方空間が解放している操作可能位置に円滑に変位することになり、情報処理機器の操作者は従来例のような音響機器等に邪魔されることなくこの情報処理機器の操作を支障なく行うことができる。
【００１２】
この情報処理機器を収納位置に戻す時には、グラブドアの開状態から閉状態へ移行する時の回動力が、上述した場合と逆の順に各要素に伝達され、やはり情報処理機器を円滑に収納位置に戻すことができる。
【００１３】
請求項２記載の発明は、請求項１記載の車両の情報処理機器収納装置において情報処理機器を、ファクシミリ装置、パーソナルコンピュータ装置、携帯情報端末等の中から選定するようにしたことを特徴としている。
【００１４】
この発明によれば、ファクシミリ装置、パーソナルコンピュータ装置、携帯情報端末等の中から選定されるいずれかの情報処理機器に対して、請求項１記載の車両の情報処理機器収納装置の場合と同様、当該情報処理機器を、グラブボックス内の収納位置と操作可能位置とに渡って円滑に変位させることができる。
【００１５】
【発明の実施の形態】
以下、この発明の実施の形態を詳細に説明する。
図１乃至図５はこの発明の実施の形態の車両のグラブボックス１及び情報処理機器収納装置５０を示す。この情報処理機器収納装置５０は、車両の車室内の助手席側において、軸部２を支軸として開閉可能なグラブドアアウタ（グラブドア）３を備えたグラブボックス１内に、従来例と同様に、情報処理機器の一種である図７に示すようなファクシミリ装置１５０を搭載して構成している。
【００１６】
即ち、情報処理機器収納装置５０は、グラブボックス１内に回動可能に収納されたファクシミリ装置１５０収納用であり、一対のレール７を左右両下側部に取り付けたグラブボックスインナー５と、グラブボックス１の両側壁面１ａ、１ｂに対して、取り付け軸ピン４０を介して中央部が回動可能に支持された略く字形状の一対の第１リンクアーム６と、一対のスライドガイド８を取り付けピン４３を介して両側壁板１０ａに取り付け、この一対のスライドガイド８をグラブボックスインナー５に取り付けた一対のレール７に各々スライド可能に嵌合させるとともに、情報処理機器であるファクシミリ装置１５０を載置したベース部１０とを具備している。
【００１７】
また、情報処理機器収納装置５０は、グラブボックス１内に収納したグラブボックスインナー５の開口側の両壁面部に取り付け軸ピン４０を介して回動可能に支持され、一対の第１リンクアーム６の車両の前後方向への回動力を受けて回動し、前記ベース部１０にその回動力を伝達して、このベース部１０に取り付けた前記一対のスライドガイド８を一対のレール７に沿ってスライドさせ、ファクシミリ装置１５０を図２に示す収納位置と図４に示す操作可能位置とに渡って変位させる一対の第２リンクアーム９とを具備している。
【００１８】
上記一対のレール７は、Ｃ型チャンネル状に形成され、取り付けピン４１を介してグラブボックスインナー５の両側面（図５において、取り付け位置を符号ａ，ｂを付して示す。）に取り付けられている。
【００１９】
また、一対の第１リンクアーム６の一端側に設けた長穴６ａは、グラブボックスインナー５の両側面の最深部（フロント側）付近に設けた凸部５ａに係合されている。
また、前記一対の第１リンクアーム６の他端側に設けた突出ピン６ｂを、前記一対の第２リンクアーム９に設けた弧状長穴９ａに係合させている。
【００２０】
さらに、前記一対の第２リンクアーム９からグラブボックスインナー５側に向けて突出させたピン９ｂをグラブボックスインナー５に設けた長穴状の案内溝５ｂを貫通させ、前記ベース部１０の側壁板１０ａにおける車両のフロント側上部の位置に設けた長穴状の受穴１０ｂに係合させている。
【００２１】
前記一対の第２リンクアーム９の他端側の軸孔９ｃは、取り付け軸ピン４０を介して前記グラブボックスインナー５の両側面のリア側に回動可能に取り付けられている。
【００２２】
次に、上述した構成の情報処理機器収納装置５０の作用を説明する。
グラブドアアウタ３の閉状態では、図２に示すように、ファクシミリ装置１５０はグラブボックス１内のグラブボックスインナー５上で車両のフロント側に傾いた状態で収容されている。
【００２３】
この状態から、グラブドアアウタ３を図４に示すように矢印ε方向に開くと、グラブドアアウタ３の回動力を受けたグラブボックスインナー５の凸部５ａが、図４に示す矢印α方向に変位し、前記第１リンクアーム６を矢印β方向に回動させる。
【００２４】
第１リンクアーム６が矢印β方向に回動すると、この第１リンクアーム６と突出ピン６ｂ、弧状長穴９ａを介して係合している第２リンクアーム９が矢印γ方向に回動し、この第２リンクアーム９におけるピン９ｂが前記案内溝５ｂに案内されつつ前記ベース部１０の受穴１０ｂを介してこのベース部１０を矢印δ方向（車両のリア方向）に押し出す。
この結果、前記ベース部１０に取り付けたスライドガイド８もレール７内を矢印δ方向にスライドする。
【００２５】
このようにして、ファクシミリ装置１５０を載置したベース部１０が、図４に示すように、その上部に設けた操作部１５６の上方の操作スペースＳが解放された位置まで移動することになり、音響機器１３０等の底部１３０ａに何等邪魔されることなくファクシミリ装置１５０の操作を行うことが可能となる。
【００２６】
ファクシミリ装置１５０を図２に示す当初の収納位置に戻す時には、グラブドアアウタ３の開状態から閉状態へ移行する時の回動力が、上述した場合と逆の順に上述した情報処理機器収納装置５０の各要素に伝達され、このファクシミリ装置１５０を円滑に図２に示す収納位置に戻すことができる。
【００２７】
なお、本実施の形態の情報処理機器収納装置５０は、上述したファクシミリ装置１５０をグラブボックス１内で移動させる場合のほか、ノート型のパーソナルコンピュータ装置や、携帯情報端末等の情報処理機器をグラブボックス１内に収納し、移動させる場合についても適用できる。
【００２８】
また、本実施の形態の情報処理機器収納装置５０は、グラブボックスに関して適用する他、車両のコンソールボックスに設けて情報処理機器を利用可能とするような構成や、フロントシートの背もたれの背面側に設けて、リアシート側で情報処理機器を利用可能とするような構成も採ることができる。
【００２９】
【発明の効果】
請求項１記載の発明によれば、情報処理機器をグラブボックス内の収納位置から、上方空間が解放している操作可能位置に円滑に移動させることができ、何等支障なくこの情報処理機器の操作を実行できる車両の情報処理機器収納装置を提供することができる。
【００３０】
請求項２記載の発明によれば、ファクシミリ装置、パーソナルコンピュータ装置、携帯情報端末等の中から選定されるいずれかの情報処理機器に適用して、各々の操作を支障なく行うことができる車両の情報処理機器収納装置を提供することができる。
【図面の簡単な説明】
【図１】この発明の実施の形態における車両の車室内のグラブボックスを示す部分斜視図である。
【図２】図１のＡ−Ａ線断面図である。
【図３】図２のＢ−Ｂ線断面図である。
【図４】本発明の実施の形態による情報処理機器収納装置のグラブドアアウタの開状態を示す断面図である。
【図５】本発明の実施の形態による車両の情報処理機器収納装置の部分分解拡大斜視図である。
【図６】従来の車両の車室内のグラブボックスを示す部分斜視図である。
【図７】従来の車両の情報処理機器収納装置に収納するファクシミリ装置を示す斜視図である。
【図８】図６のＸ−Ｘ線断面図である。
【図９】従来の車両の情報処理機器収納装置のグラブドア開状態の位置を示す説明図である。
【符号の説明】
１      グラブボックス
２      軸部
３      グラブドアアウタ
５      グラブボックスインナー
６      第１リンクアーム
７      レール
８      スライドガイド
９      第２リンクアーム
１０    ベース部
４０    取り付け軸ピン
４１    取り付けピン
４３    取り付けピン
５０    情報処理機器収納装置
１３０  音響機器
１５０  ファクシミリ装置
Ｓ      操作スペース
【図１】
0003731199.tif 000002
【図２】
0003731199.tif 000003
【図３】
0003731199.tif 000004
【図４】
0003731199.tif 000005
【図５】
0003731199.tif 000006
【図６】
0003731199.tif 000007
【図７】
0003731199.tif 000008
【図８】
0003731199.tif 000009
【図９】
0003731199.tif 000010